(57)【特許請求の範囲】
【請求項１】
ベルト本体に、プーリに噛合する複数の歯部を備えた歯付面を有する搬送ベルトであって、上記各歯部はベルト長さ方向に間隔を存してベルト幅方向に延びており、これら歯部のうち一定ピッチ毎には歯の高さ寸法及び歯の長さ寸法の少なくとも一方が他の歯部よりも大きく設定された大型歯部が設けられており、この大型歯部の側面には、ベルト走行時に硬貨を係止して搬送するための係止板が備えられていることを特徴とする硬貨搬送ベルト。
【請求項２】
ベルト本体が熱可塑性ウレタンで構成されているとき、係止板がベルト本体と同材料で形成され、上記係止板は大型歯部の側面に熱融着により取り付けられていることを特徴とする請求項１記載の硬貨搬送ベルト。
【請求項３】
ベルト本体が熱硬化性ウレタンで構成されているとき、係止板はピン部を有する押しピン形状に形成される一方で、大型歯部にはその幅方向に延びるピン孔が形成され、上記係止板はピン部が上記ピン孔に挿着されることにより大型歯部の側面に取り付けられていることを特徴とする請求項１記載の硬貨搬送ベルト。
【請求項４】
ピン孔は大型歯部に貫通形成されており、係止板のピン部先端には、該ピン部の挿入側とは反対側の歯部側面から突出されると共にピン孔の径よりも大径に形成されて歯部側面に係止される係止部が形成されていることを特徴とする請求項３記載の硬貨搬送ベルト。
【請求項５】
歯付面には、一部がピン孔に連通する凹部が形成されており、ピン部には、ピン孔の径よりも大径で且つ凹部のピン孔に対する連通部分の縁部に係止する係止部が形成されていることを特徴とする請求項３記載の硬貨搬送ベルト。
【請求項６】
凹部は、プーリに形成されたベルト蛇行防止用フランジに係合するように成っていることを特徴とする請求項５記載の硬貨搬送ベルト。
【請求項７】
ピン孔は係止板のピン部の径よりも小径に形成されていることを特徴とする請求項３、４、５または６記載の硬貨搬送ベルト。
【請求項８】
係止板のピン部はねじ切りされ、該ピン部がピン孔へねじ込まれることにより、係止板が歯部側面に取り付けられていることを特徴とする請求項３記載の硬貨搬送ベルト。
【請求項９】
ピン孔は大型歯部に貫通形成されており、係止板のピン部先端は、ねじ切りされてピン部の挿入側とは反対側の歯部側面から突出されており、このねじ切り部分にはナットが螺合されていることを特徴とする請求項３記載の硬貨搬送ベルト。
【請求項１０】
係止板のピン部と大型歯部のピン孔とは接着剤を介して挿着されていることを特徴とする請求項３、４、５、６、７、８または９記載の硬貨搬送ベルト。
【発明の詳細な説明】
【０００１】
【産業上の利用分野】
この発明は、たとえば硬貨選別機等で用いられる硬貨搬送用ベルトに関するものである。
【０００２】
【従来の技術】
周知のように、ベルトで硬貨等の物品を搬送する場合、歯付面と反対側となるベルト背面に突起部や桟部を設けた搬送ベルト（以下、背面突起付ベルトという）が広く用いられている。そして、このような突起部や桟部の形成は、熱可塑性ウレタンベルトの場合には、あらかじめ、ベルト本体と同質材で形成された突起部や桟部をベルト背面の所定部位にスポット的に熱融着することによって取り付けられている。これに対し、ゴムベルトの場合にはベルト背面の研磨加工によって形成され、また、注型タイプの熱硬化性ウレタンベルトの場合には金型による一体成形によって形成できるため、製作が容易でコスト安となる等、上記した背面突起付ベルトは一般的に製造が比較的容易であるという利点がある。
【０００３】
【発明が解決しようとする課題】
しかしながら、上記した背面突起付ベルトは、硬貨等の物品がベルト背面上に載せられ、突起部で硬貨を係止して搬送する構造であるため、その使用は上方から下方に硬貨を繰り出して供給するタイプの硬貨選別機等の装置に限られ、硬貨選別機等の装置側の機能や構造によっては使用できない。すなわち、上記タイプの硬貨選別機等の装置ではなく、下方に設置した硬貨タンクから硬貨を一枚ずつ立てた状態で掻き上げる手段を介し、この立てられた硬貨をベルト側面に設けた突起部にて係止し、脱落しないように適宜の押圧手段によって該硬貨をベルト側面に保持しながら搬送するタイプの硬貨選別機等の装置では、上記背面突起付ベルトは使えず、突起部がベルト背面ではなく、ベルト側面に形成された側面突起付ベルトの使用が望ましい。
【０００４】
そこで、このような側面突起付ベルトの製造に際しては、ベルト側面に硬貨搬送用の突起部を形成するにあたり、熱可塑性ウレタンベルトにあっては、背面突起の場合と同様、歯部側面にスポット的に突起部を熱融着することで比較的容易に取り付けることが可能である反面、融着面積が限られるため、融着強度（取付強度）が低くなるという実用上の不具合がある。また、熱硬化性ウレタンベルトあるいはゴムベルトの場合には、たとえば後加工で突起部を形成することもできるが、この場合には加工が困難でかつ加工工数がかかるため、ベルトがコスト高となるという不都合がある。
【０００５】
この発明は、上記の点に鑑みてなされたもので、その目的とするところは、硬貨を搬送するために歯部側面に取り付けられる突起部の取付部位を他の部位に比べて大きくすることで融着面積等を広くして取付強度を向上させ、しかも製造容易で製造コストを安価にしようということにある。
【０００６】
【課題を解決するための手段】
上記の目的を達成するため、請求項１の発明は、ベルト本体に、プーリに噛合する複数の歯部を備えた歯付面を有する搬送ベルトを前提とし、上記各歯部をベルト長さ方向に間隔を存してベルト幅方向に延ばして成し、これら歯部のうち一定ピッチ毎に、歯の高さ寸法及び歯の長さ寸法の少なくとも一方が他の歯部よりも大きく設定された大型歯部を設ける。そして、この大型歯部の側面に、ベルト走行時に硬貨を係止して搬送するための係止板を備えさせた構成としている。
【０００７】
請求項２の発明は、上記請求項１記載の硬貨搬送ベルトにおいて、ベルト本体が熱可塑性ウレタンで構成されているとき、係止板をベルト本体と同材料で形成し、上記係止板を大型歯部の側面に熱融着により取り付けた構成としている。
【０００８】
請求項３の発明は、上記請求項１記載の硬貨搬送ベルトベルトにおいて、本体が熱硬化性ウレタンで構成されているとき、係止板をピン部を有する押しピン形状に形成する一方で、大型歯部に、その幅方向に延びるピン孔を形成し、上記係止板のピン部を上記ピン孔に挿着することにより大型歯部の側面に取り付けた構成としている。
【０００９】
請求項４の発明は、上記請求項３記載の硬貨搬送ベルトにおいて、ピン孔を大型歯部に貫通形成し、係止板のピン部先端に、該ピン部の挿入側とは反対側の歯部側面から突出させると共にピン孔の径よりも大径に形成されて歯部側面に係止される係止部を形成した構成としている。
【００１０】
請求項５記載の発明は、上記請求項３記載の硬貨搬送ベルトにおいて、歯付面に、一部がピン孔に連通する凹部を形成し、ピン部に、ピン孔の径よりも大径で且つ凹部のピン孔に対する連通部分の縁部に係止する係止部を形成した構成としている。
【００１１】
請求項６記載の発明は、上記請求項５記載の硬貨搬送ベルトにおいて、凹部を、プーリに形成されたベルト蛇行防止用フランジに係合するような構成としている。
【００１２】
請求項７記載の発明は、上記請求項３、４、５または６記載の硬貨搬送ベルトにおいて、ピン孔を係止板のピン部の径よりも小径に形成した構成としている。
【００１３】
請求項８記載の発明は、上記請求項３記載の硬貨搬送ベルトにおいて、係止板のピン部をねじ切りし、該ピン部をピン孔へねじ込むことにより、係止板を歯部側面に取り付けた構成としている。
【００１４】
請求項９記載の発明は、上記請求項３記載の硬貨搬送ベルトにおいて、ピン孔を大型歯部に貫通形成し、係止板のピン部先端を、ねじ切りしてピン部の挿入側とは反対側の歯部側面から突出させ、このねじ切り部分にナットを螺合した構成としている。
【００１５】
請求項１０記載の発明は、上記請求項３、４、５、６、７、８または９記載の硬貨搬送ベルトにおいて、係止板のピン部と大型歯部のピン孔とを接着剤を介して挿着した構成としている。
【００１６】
【作用】
上記構成により、請求項１の発明では、硬貨を係止して搬送するための突起部としての係止板が通常寸法の歯部ではなく、歯付面の一定ピッチ毎に形成された大型歯部側に取り付けられた構成であるので、歯部に必要な強度や係止板の取付面積を広くとることができる。
【００１７】
請求項２の発明では、ベルト本体が熱可塑性ウレタンで構成されているとき、係止板をベルト本体と同材料で形成し、かつ上記係止板は大型歯部側面に熱融着により取り付けられているので、熱融着部の面積が十分となり、該熱融着部の必要強度が得られる。
【００１８】
請求項３の発明では、ベルト本体が熱硬化性ウレタンで構成されているとき、係止板をピン部を有する押しピン形状に形成するとともに大型歯部にピン孔を形成して、上記係止板をそのピン部がピン孔に差し込むことにより係止板を挿着しているので、歯部を大寸法とした分、歯部強度が向上し、ピン径も大きくできることからピン強度も向上させることができる。
【００１９】
請求項４の発明では、係止板のピン部先端に歯部のピン孔の径よりも大きい係止部を形成しているので、挿着後には上記係止部によってピンの抜け防止作用がある。
【００２０】
請求項５記載の発明では、係止板のピン部がベルト本体の内部において係止部によって係止されて抜け防止されるため、このピン部の先端をベルト背面側から突出させることなしに係止できる。
【００２１】
請求項６記載の発明では、プーリの蛇行防止用フランジが係合される部分をピン部を係止するための凹部として利用したために、既存の部位を有効利用でき、この係止のために新たな凹部を形成する必要がない。
【００２２】
請求項７の発明では、大型歯部に設けるピン孔を係止板のピン部の径よりも小径に形成しているので、係止板の挿着後にピン孔から係止板のピン部が容易に抜け難くなり、ピンの抜け防止作用がある。
【００２３】
請求項８の発明では、ねじ切りされた係止板のピン部がピン孔にねじ込みによって挿着されているので、挿着後には上記ねじ切り部分によってピンの抜け防止作用がある。
【００２４】
請求項９の発明では、係止部のピン先端がナット止めされることにより挿着されているので、ナットによって、挿着後には上記ねじ切り部分によってピンの抜けが防止される。
【００２５】
請求項１０の発明では、係止板のピン部と歯部のピン孔とは接着剤を介して挿着されているので、挿着後に接着剤の接着作用によりピンの抜け防止作用がある。
【００２６】
【実施例】
以下、この発明の実施例を図面に基づいて説明する。
【００２７】
（第１実施例）
図１はこの発明の第１実施例に係る硬貨搬送ベルトＡを示し、この硬貨搬送ベルトＡは硬貨選別機等で硬貨の搬送用として用いられる。１はたとえば、熱可塑性ウレタン等で形成されたベルト本体であって、その歯付面では一定ピッチ毎に形成された大型歯部２と、これら大型歯部２，２との間に形成された通常寸法の歯部３，３，…とから構成されている。また、４は上記大型歯部２の側面にベルト走行時に硬貨を係止して搬送するための係止板であり、この係止板４はベルト本体１とは別々にこれと同一素材で形成されたもので、熱融着によってベルト側面に一体的に取り付けられている。なお、上記ベルトＡは大型歯部２の側面に係止板４が取り付けられた構成であるので、ベルトＡと噛合するプーリの端面に蛇行防止用のフランジを設けることが物理的にできないので、蛇行防止用のフランジはプーリの幅方向のいずれかの位置に設けられることになり、５はこの場合にプーリ幅方向に設けられた上記フランジに係合して蛇行を防止するため、上記フランジに対応する位置に形成されたベルト蛇行防止用の凹条部、６は同じくベルトを背面駆動させた場合に該当するフランジに対応する位置に形成されたベルト蛇行防止用の凸条部である。
【００２８】
また、図９は上記実施例に係る硬貨搬送ベルトが噛合するプーリＣを示し、このプーリＣは断面丸型溝部１２と溝部１３とを溝として有し、特に断面丸型溝部１２には上記硬貨搬送ベルトＡの大型歯部２が、また溝部１３には同じく歯部３がそれぞれ噛合してベルトが走行するようになっている。
【００２９】
（第２実施例）
また、図２はこの発明の第２実施例に係る硬貨搬送ベルトＢを示し、この場合には、ベルト本体１は熱硬化性ウレタン等で形成されていることから、係止板を熱硬化性ウレタンで形成しても第１実施例のように熱融着法によっては歯部側面に係止板を取付することはできない。したがって、この場合には、ピン部７ａを備えた押しピン形状の係止板７とし、かつ一定ピッチ毎に形成された大型歯部２にベルト幅方向に貫通したピン孔２ａを設け、このピン孔２ａに係止板７のピン部７ａを差し込んで係止板７を歯部２に挿着するようにしている。なお、この場合、ピン孔２ａの径よりもピン部７ａの径を若干、大きめにしておくことで、ピン部７ａのピン孔２ａからの抜けを効果的に防止できる。
【００３０】
（第３実施例）
図３はこの発明の第３実施例を示しており、この実施例では、第２実施例におけるピン部７ａの途中部に係止部９を一体形成し、この係止部９をピン孔２ａに係止させるようにしている。具体的に説明すると、係止板は、図４にも示すように、ピン部７ａの先端から所定寸法を存した位置に係止部９を備えており、この係止部９の位置は、上記プーリに形成された蛇行防止用のフランジが係合する凹条部５のピン孔２ａに対する開口位置に対応して設定されている。また、この係止部９の形状としては、偏平円柱状の円柱部９ａと、該円柱部９ａの下側に形成されピン部７ａ先端に向うにしたがって内径側に傾斜する円錐台状の円錐部９ｂとが一体形成されて成っている。一方、上記凹条部５のピン孔２ａに対する開口部分は、この係止部９の形状に対応した溝形状に形成されている。
【００３１】
そして、この係止部９がピン部７ａに係止された状態では、係止部９の円柱部９ａの端面が凹条部５のピン孔２ａに対する開口部分の縁部に係止され、これによってピン部７ａのピン孔２ａからの抜けが効果的に防止されている。また、このような構成では、既存の部位である凹条部５を有効利用して係止部９を係止させているので、この係止のために新たな凹条部５を形成する必要がなく、ベルトの製作作業の簡略化を図ることができる。
【００３２】
（第４実施例）
図５はこの発明の第４実施例を示しており、この実施例では、第２実施例におけるピン部７ａに接着剤を塗布したものを、ピン孔２ａに差し込むようにしたものであり、係止板７のピン部７ａと歯部２のピン孔２ａとは接着剤層８を介して挿着される。したがって、この接着剤層８によってピン部７ａはピン孔２ａ内に強固に接着固定され、ピン部７ａのピン孔２ａからの抜けをより効果的に防止できる。
【００３３】
（第５実施例）
図６はこの発明の第５実施例を示しており、この実施例では、第２実施例における係止板７のピン部７ａ先端に歯部のピン孔の径よりも大きい係止部９を形成したものであり、ピン孔２ａからピン７が抜けでないように、ピンの抜け防止を図ったものである。この実施例によっても係止板７のピン部７ａがピン孔２ａから抜け出るのをより効果的に防止できる。
【００３４】
（第６実施例）
図７はこの発明の第６実施例を示しており、この実施例では、第２実施例における係止板７のピン部７ａにねじ切りを施してねじ部１０を形成したものであって、歯部のピン孔２ａにピン７ａをねじ込みによって挿着することによりピンの抜け防止を図ったものである。
【００３５】
（第７実施例）
図８はこの発明の第７実施例を示しており、この実施例では、第２実施例における係止部７のピン７ａ先端がナット１１止めされたものであり、ナット１１止めによってピンの抜け防止効果を狙ったものである。この実施例によっても、上記実施例と同様、係止板７のピン部７ａがピン孔２ａから抜け出るのをより効果的に防止できる。
【００３６】
尚、上述した各実施例のうち、第２実施例と第３実施例、第２実施例と第５実施例、第４実施例と第３実施例、第４実施例と第５実施例、第４実施例と第６実施例、第４実施例と第７実施例の各構成を共存させて、係止板の取付け強度の向上を図るようにしてもよい。
【００３７】
【発明の効果】
以上説明したように、請求項１の発明によれば、硬貨を係止して搬送するための係止板が歯付面の通常寸法の歯部ではなく、これよりも大寸法の大型歯部の側面に取り付けられる構成とした。このことにより、歯部に必要な強度や係止板の取付面積を広くとることができ、特に小ピッチのタイミングベルトに有効に適用できるという効果がある。さらに、きわめて簡単な構成であるので、安価に製造できるという利点もある。
【００３８】
請求項２の発明によれば、ベルト本体が熱可塑性ウレタンで構成されているとき、係止板をベルト本体と同素材で形成し、かつ上記係止板を歯部側面に熱融着により取り付けるように構成した。このことにより、熱融着部の面積が十分となり、該熱融着部の必要強度が得られる等、請求項１と同等の効果がある。
【００３９】
請求項３の発明では、ベルト本体が熱硬化性ウレタンで構成されているとき、係止板をピン部を有する押しピン形状に形成するとともに大型歯部にピン孔を形成して、上記係止板をそのピン部がピン孔に差し込んで係止板を歯部側面に取り付ける構成とした。このことにより、歯部を大寸法とした分、歯部強度が向上し、ピン径も大きくできることからピン強度も向上させることができ、請求項１と同等の効果がある。
【００４０】
また、請求項４の発明ないし１０の発明によれば、いずれも請求項３の発明における係止板のピン部と歯部のピン孔との関係においてピン孔からの、ピンの抜け防止措置を講じた。つまり、請求項４の発明ではピン先端にピン径よりも大きい係止部を設けた構成とした。請求項５の発明ではピン孔の途中にピン部を係止させた。特に、請求項６の発明では、このピン部を係止する部分を既存のプーリの蛇行防止用フランジに係合する凹部とした。請求項７の発明ではピン部の径をピン孔の径よりも小径に形成した。また、請求項８の発明ではピンをねじ込みによってピン孔に挿着する構成とした。さらに、請求項９の発明ではピン孔に取付後のピンの先端をナットにより固定する構成とした。請求項１０の発明ではピン部をピン孔に接着剤を介して挿着した。これらの構成により、ピンはピン孔から抜けで難くなるので、ピンの抜け防止効果はきわめて大きくなるという効果がある。
【図面の簡単な説明】
【図１】この発明の第１実施例に係る硬貨搬送ベルトの斜視図である。
【図２】この発明の第２実施例に係る硬貨搬送ベルトの斜視図である。
【図３】この発明の第３実施例に係る硬貨搬送ベルトの斜視図である。
【図４】第３実施例における係止板を示す図である。
【図５】この発明の第４実施例に係る硬貨搬送ベルトを示し、ピン取付部分の断面図である。
【図６】この発明の第５実施例に係る硬貨搬送ベルトを示し、ピン取付部分の断面図である。
【図７】この発明の第６実施例に係る硬貨搬送ベルトを示し、ピン取付部分の断面図である。
【図８】この発明の第７実施例に係る硬貨搬送ベルトを示し、ピン取付部分の断面図である。
【図９】この発明の実施例に係る硬貨搬送ベルトと噛合するプーリの一部を省略した拡大正面図である。
【符号の説明】
Ａ，Ｂ  硬貨搬送ベルト
１      ベルト本体
２      大型歯部
２ａ    ピン孔
３      歯部
４，７  係止板
５      凹条部
７ａ    ピン
９      係止部
【図１】
0003588480.tif 000002
【図２】
0003588480.tif 000003
【図３】
0003588480.tif 000004
【図４】
0003588480.tif 000005
【図５】
0003588480.tif 000006
【図６】
0003588480.tif 000007
【図７】
0003588480.tif 000008
【図８】
0003588480.tif 000009
【図９】
0003588480.tif 000010